(57)【要約】【課題】排気口から排気された空気が吸気口から吸気されることを抑制し、吸気口からの空気で冷却している対象物の温度上昇を抑制することを可能とする。【解決手段】画像を投影面に投影する投影部と、前記投影面を撮像する撮像部と、前記投影部及び前記撮像部を収容する筐体１７０と、前記筐体内に空気を吸気するための吸気口１７１と、前記筐体内の空気を排気するための排気口１７３と、を有し、前記排気口１７３は、前記吸気口１７１と隣接した位置であって、前記吸気口１７１よりも排気方向下流に位置する。【選択図】図１
2019008006.tif 000002
【特許請求の範囲】
【請求項１】
画像を投影面に投影する投影部と、
前記投影面を撮像する撮像部と、
前記投影部及び前記撮像部を収容する筐体と、
前記筐体内に空気を吸気するための吸気口と、
前記筐体内の空気を排気するための排気口と、
を有し、
前記排気口は、前記吸気口と隣接した位置であって、前記吸気口よりも排気方向下流に位置することを特徴とする情報処理装置。
【請求項２】
前記排気口及び前記吸気口は平面上に複数設けられ、前記排気口を含む平面である排気平面は前記吸気口を含む平面である吸気平面よりも前記排気方向下流に位置することを特徴とする請求項１記載の情報処理装置。
【請求項３】
前記投影部又は前記撮像部の少なくとも一方と電気的に接続する電気基板を有し、
前記電気基板の少なくとも一部は、前記排気方向において前記排気口と対向する領域であって、前記吸気平面よりも前記排気方向下流の領域に配置されることを特徴とする請求項２記載の情報処理装置。
【請求項４】
前記排気口の前記筐体内側の中心から前記排気口の前記筐体外側の中心へ向かう方向が、前記吸気口から遠ざかる方向となるように構成されていることを特徴とする請求項１乃至請求項３のいずれか１項に記載の情報処理装置。
【請求項５】
前記排気口は、前記吸気口から排気口へ向かう方向と交差する方向に長手の開口が複数並列配置されていることを特徴とする請求項４記載の情報処理装置。
【請求項６】
画像を投影面に投影する投影部と、
前記投影面を撮像する撮像部と、
前記投影部及び前記撮像部を収容する筐体と、
前記筐体内に空気を吸気するための吸気口と、
前記筐体内の空気を排気するための排気口と、
を有し、
前記排気口は、前記吸気口と隣接した位置に配置され、前記排気口の前記筐体内側の中心から前記排気口の前記筐体外側の中心へ向かう方向が、前記吸気口から遠ざかる方向となるように構成されていることを特徴とする情報処理装置。
【請求項７】
前記排気口は、平面上に複数配置されていることを特徴とする請求項６に記載の情報処理装置。
【請求項８】
前記排気口は、前記吸気口から排気口へ向かう方向と交差する方向に長手の開口が複数並列配置されていることを特徴とする請求項７に記載の情報処理装置。
【請求項９】
前記吸気口及び前記排気口は、前記筐体の側面であって前記投影部により画像を投影する方向と反対側の面に配置されていることを特徴とする請求項１乃至請求項８のいずれか１項に記載の情報処理装置。
【請求項１０】
前記吸気口から吸気し、前記排気口から排気するために送風する送風部を有することを特徴とする請求項１乃至請求項９のいずれか１項に記載の情報処理装置。
【発明の詳細な説明】
【技術分野】
【０００１】
本発明は、投影面にデータを投影する投影部と、投影面上の対象物を読み取る撮像部とを有する情報処理装置に関する。
【背景技術】
【０００２】
プロジェクタによって投影された映像に対し、ユーザのジェスチャを認識することによって直感的な操作を行うユーザインタフェースシステムが利用されている。こうしたシステムでは、タッチパネルや映像認識技術を利用して投影映像に対するユーザのジェスチャを認識する。
【０００３】
このような情報処理装置では、投影面にデータを投影する投影部と、投影面上の対象物を読み取る撮像部とを有し、これらを駆動する電源部を筐体に配置しているものが一般的である（特許文献１）。
【０００４】
そして、筐体内に投影用の光源や電源等を配置した場合、これらは発熱するために、それらを効率的に冷却するには吸気ルーバ（吸気口）、排気ルーバ（排気口）が必要である。そして、前記吸気口及び排気口は、本体背面からは投影画像を見ることができないことから、ユーザが背面以外の場所にいることを想定した場合に、開口部からの音・排気が本体前方、左方、右方のユーザに直接届くことを防ぐ観点から本体背面に配置することが望ましい。さらに、前記吸気口、排気口を筐体の同じ側面に設ける場合、装置を大型化しないためには吸気口と排気口を隣接して配置することになる。
【先行技術文献】
【特許文献】
【０００５】
【特許文献１】特開２０１６‐７５８９７
【発明の概要】
【発明が解決しようとする課題】
【０００６】
しかし、前記のように吸気口と排気口を隣接して配置した場合、排気口から排出された温度の上昇した空気が吸気口から入り込み、吸気口からの空気で冷却している対象物の温度を上昇させてしまうことがある。
【０００７】
そこで、本発明の目的は、排気口から排気された空気が吸気口から吸気されることを抑制し、吸気口からの空気で冷却している対象物の温度上昇を抑制することを可能とする情報処理装置を提供するものである。
【課題を解決するための手段】
【０００８】
上記目的を達成するための本発明に係る代表的な構成は、画像を投影面に投影する投影部と、前記投影面を撮像する撮像部と、前記投影部及び前記撮像部を収容する筐体と、前記筐体内に空気を吸気するための吸気口と、前記筐体内の空気を排気するための排気口と、を有し、前記排気口は、前記吸気口と隣接した位置であって、前記吸気口よりも排気方向下流に位置することを特徴とする。
【発明の効果】
【０００９】
本発明にあっては、排気口から排気された空気が隣接する吸気口に吸気されることを抑制し、吸気口からの空気で冷却している対象物の温度上昇を抑制することができる。
【図面の簡単な説明】
【００１０】
【図１】第１実施形態における情報処理装置を左上側から見た概略斜視図
【図２】第１実施形態における情報処理装置の使用状態を示す概略斜視図
【図３】第１実施形態における情報処理装置の内部構造の概略斜視図
【図４】第１実施形態におけるプロジェクタ冷却構成を示した、概略斜視図
【図５】第１実施形態における情報処理装置を左方から見た場合のプロジェクタ部分の概略部分断面図
【図６】第１実施形態における情報処理装置の筐体を除いて、後方から見た場合の概略図
【図７】第１実施形態における情報処理装置を左方から見た場合の電源ユニット部分の概略部分断面
【図８】第１実施形態における情報処理装置の筐体を上方向に垂直に切った断面図
【図９】第１実施形態の効果をシミュレーション演算した結果の図
【図１０】第２実施形態における情報処理装置を左上側から見た概略斜視図
【図１１】第２実施形態における情報処理装置の筐体を上方向に垂直に切った断面図
【図１２】第３実施形態における情報処理装置を左上側から見た概略斜視図
【図１３】第３実施形態における情報処理装置の筐体を上方向に垂直に切った断面図
【図１４】第２実施形態及び第３実施形態の効果をシミュレーション演算した結果の図
【図１５】第４実施形態における情報処理装置を左上側から見た概略斜視図
【図１６】第４実施形態における情報処理装置の筐体を上方向に垂直に切った断面図
【発明を実施するための形態】
【００１１】
〔第１実施形態〕
以下、本発明の第１実施形態について図面を参照して詳細に説明する。
【００１２】
＜情報処理装置の全体構成＞
図１は本実施形態の情報処理装置を左上側から見た概略斜視図であり、図２は筐体を外して内部構造を見えるようにした概略斜視図である。本実施形態の情報処理装置は、筐体１７０内に画像を投影面に投影する投影部と、前記投影面を撮像する撮像部とを有する。
【００１３】
図２に示すように、投影部であるプロジェクタ１３１は、上方に向かって投射を行い、投影ミラー１４１によって反射された光線は投影面２００に電子データ画像２０１を形成する。ユーザは、この電子データ画像２０１に対して操作を行う。投射された電子データ画像２０１には、メニューボタン２０２が含まれておりユーザは手指を使って電源のＯＮ／ＯＦＦやその他操作選択を行っていく。
【００１４】
前記操作選択は撮像部であるカメラ１２１によって検知され、インターフェースとして機能する。カメラ１２１の撮像時には投影面２００に撮像したい対象物（書類等）を設置する。そしてカメラ１２１によって画像を撮像する。なお、以下、装置本体において画像を投影する側を前側とし、反対側を後側とする。また、それぞれの側面は装置本体を前側から見た状態で、右側、左側とする。
【００１５】
＜撮像部＞
ここで、撮像部の構成について説明する。図３に示すように、フレーム１４２には、カメラ１２１が取り付けられている。カメラ１２１には複数のレンズを組み込んだカメラ鏡筒１２２が取り付けられる。レンズの光軸は投影面に対して略垂直になるように取り付けられている。撮像ミラー１４３は、カメラ鏡筒１２２の上方に配置し、フレーム１４２に取り付けられており、凹形状の曲面ミラーである。投影面２００の対象物をカメラ１２１で読み取る際には、対象物の像を撮像ミラー１４３でカメラ鏡筒１２２へと反射させ、カメラ鏡筒１２２内のレンズ群を通り、カメラ１２１で画像を読み取る。
【００１６】
＜投影部＞
次に、投影部の構成について説明する。プロジェクタ１３１は、発光部であるＬＥＤユニット１５０と、光変調を行うＤＭＤ（Digital Mirror Device）ユニット１６０からなる。ＬＥＤユニット１５０はフレーム１４２に取り付けられている。ＬＥＤユニット１５０にはＤＭＤユニット１６０が取り付けられている。ＤＭＤユニット１６０には複数のレンズを組み込んだプロジェクタ鏡筒１３２が取り付けられている。レンズの光軸は投影面に対して略垂直になるよう取り付けられている。投影ミラー１３４は、プロジェクタ鏡筒１３２の上方に配置し、フレーム１４２に取り付けられている。投影面２００に画像を投影する際には、画像情報に基づき、ＬＥＤユニット１５０の赤色ＬＥＤ、緑色ＬＥＤ、青色ＬＥＤが発光し、ＤＭＤユニット１６０で光変調を行い、プロジェクタ鏡筒１３２内のレンズ群を通り、投影ミラー１３４で投影光を反射し、投影面２００に投影を行う。
【００１７】
＜情報処理装置の冷却構成＞
前記撮像部、投影部は筐体に収容されている。そして、ＬＥＤユニット１５０は、発光部を有し、また、筐体内には撮像部や投影部を駆動するための電源が内蔵されている。これら発光部や電源部は発熱するため、これを冷却するための機構が設けられている。
【００１８】
次に筐体内の冷却構成につてい説明する。図４はＬＥＤユニットの冷却構成を示す概略図である。
【００１９】
図４において、赤色ＬＥＤ１５４Ｒ、緑色ＬＥＤ１５４Ｇ、青色ＬＥＤ１５４Ｂには、不図示のＬＥＤ熱伝導シートを介して、銅製の伝熱ブロック１５８Ｒ、１５８Ｇ、１５８Ｂが接触している。さらに、銅製の伝熱ブロック１５８Ｒ、１５８Ｇ、１５８Ｂにはヒートパイプ１５９Ｒ、１５９Ｇ、１５９Ｂが接触している。ヒートパイプ１５９Ｒ、１５９Ｇ、１５９Ｂは銅製のパイプを真空とし、その中に冷媒となる水を封入している。ヒートパイプ１５９Ｒ、１５９Ｇ、１５９Ｂには、伝熱ブロック１５８Ｒ、１５８Ｇ、１５８Ｂとは反対側の端部に、ＬＥＤヒートシンク１５２Ｒ、１５２Ｇ、１５２Ｂが接触して配置されている。したがって、不図示のＬＥＤ熱伝導シート、伝熱ブロック１５８Ｒ、１５８Ｇ、１５８Ｂ、ヒートパイプ１５９Ｒ、１５９Ｇ、１５９Ｂはいずれも、赤色ＬＥＤ１５４Ｒ、緑色ＬＥＤ１５４Ｇ、青色ＬＥＤ１５４Ｂの熱を、ＬＥＤヒートシンク１５２Ｒ、１５２Ｇ、１５２Ｂに伝熱している。
【００２０】
また、ＤＭＤユニット１６０には、ＤＭＤ熱伝導シート１６２を介して、銅製のＤＭＤヒートシンク１６１が接触して配置されている。なお、ＬＥＤヒートシンク１５２Ｒ、１５２Ｇ、１５２Ｂは、ヒートパイプ１５９Ｒ、１５９Ｇ、１５９Ｂにより、赤色ＬＥＤ１５４Ｒ、緑色ＬＥＤ１５４Ｇ、青色ＬＥＤ１５４Ｂから離れ、ＤＭＤヒートシンク１６１の下方に近接して集中配置されている。
【００２１】
図５は、情報処理装置を左方から見た場合のプロジェクタ部分の概略断面図である。筐体１７０の後面にはＬＥＤ吸気口１７１及びＬＥＤ排気口１７２が設けられている。そして、筐体内であってＬＥＤ吸気口１７１の近傍にはＬＥＤファン１５１が配置されており、このＬＥＤファン１５１により、情報処理装置１００外の空気が、前後方向に平行な図中方向Ａに吸気される。導入された空気は、ＬＥＤヒートシンク１５２Ｒ、１５２Ｇ、１５２Ｂを通り、さらにＤＭＤヒートシンク１６１を通過し、熱交換を行う。熱交換を行い温められた空気は、筐体１７０に設けられたＬＥＤ排気口１７２から排気される。
【００２２】
図６は情報処理装置の筐体を除いて、後方から見た場合の概略図である。コントローラユニット１１０はフレーム１４２に固定されている。コントローラユニット１１０は、図示しない、コントローラ基板と、コントローラ基板を覆う金属製のコントローラボックスと、冷却のためのコントローラファンとからなる。コントローラユニット１１０はＣＰＵ、ＲＯＭ、ＲＡＭを搭載しており、図示しないケーブルを通じて、カメラ１２１とプロジェクタ１３１と電気的に接続されている。記憶装置１０５はハードディスクドライブで、図示しないコントローラ基板と電気的に接続されている。
【００２３】
電源ユニット１８０はＬＥＤユニット１５０の右側に配置され、フレーム１４２に固定されている。電源ユニット１８０は、情報処理装置１００外の交流電力を直流電力に変換し、図示しないケーブルを通じて、カメラ１２１、プロジェクタ１３１、コントローラユニット１１０、ＬＥＤファン１５１などに電力供給する。コントローラ基板１１０はダクト１５３の上方、プロジェクタ鏡筒１３２とカメラ鏡筒１２２の後方に配置されている。電源ユニット１８０はダクト１５３の右方、プロジェクタ鏡筒１３２とカメラ鏡筒１２２の後方に配置されている。
【００２４】
図７は情報処理装置を左方から見た場合の電源ユニット部分の概略部分断面図である。図７を用いて、電源ユニット１８０の冷却について説明する。前記投影部、撮像部に電力を供給する電源ユニット１８０は電源ファン１８１と電源ボックス１８２と電源基板（電気基板）１８３から構成される。電源基板１８３と電源ファン１８１は電源ボックス１８２に囲われており、電源ボックス１８２の前方と後方は電源開口部１８４により開放されている。
【００２５】
電源ファン１８１は電源ボックス１８２の開放された前方の電源開口部１８４から空気を導入する。空気は、電源基板１８３に沿って流れ、電源ファン１８１通過し、電源ボックス１８２の後方の電源開口部１８４を通過し、筐体１７０の電源排気口１７３を通じて、情報処理装置の後方（矢印Ｂ方向）の筐体外へ空気を排気する。排気された温められた空気は、周囲の外気より密度が軽いため、鉛直上向きに浮力を受けながら、後方に拡散していく。
【００２６】
＜吸排気口の位置関係＞
次に前記冷却のために筐体内に空気を吸気するための吸気口及び筐体内の空気を排気するための排気口の位置関係について、図１及び図８を参照して説明する。なお、図８は、筐体１７０を、ＬＥＤ吸気口１７１と電源排気口１７３を通り、上方向に垂直な平面で切った断面図である。
【００２７】
ＬＥＤ吸気口１７１とＬＥＤ排気口１７２と電源排気口１７３は、筐体１７０の後側に設けられており、いずれも大きさは左右方向、上下方向とも８０ｍｍである。そして、ＬＥＤ吸気口１７１とＬＥＤ排気口１７２と電源排気口１７３は、前後方向から見て１辺が３．５ｍｍの正方形状の複数の開口部分の集まりであり、各々の開口部分は１．５ｍｍの間隔で配列されている。
【００２８】
ＬＥＤ吸気口１７１は、ＬＥＤ排気口１７２の下方に設けられている。電源排気口１７３は、ＬＥＤ吸気口１７１の右方に設けられている。そして、電源排気口１７３の上下方向の位置は、ＬＥＤ吸気口１７１の最上部を通る平面と最下部を通る平面の２平面の間に、電源排気口１７３の少なくとも一部が含まれて隣接して配置されている。
【００２９】
また、ＬＥＤ吸気口１７１の最右端部（電源排気口側の端部）と、電源排気口１７３の最左端部（ＬＥＤ吸気口側の端部）との左右方向の距離は、４０ｍｍであり、ＬＥＤ吸気口１７１または電源排気口１７３の左右方向の大きさの半分程度に近接して配置されている。なお、本実施形態における筐体１７０の左右方向の幅は２６０ｍｍである。
【００３０】
電源排気口１７３は、図１及び図８に示すように、ＬＥＤ吸気口１７１に対して、排気方向（筐体後方側）に２４ｍｍ、すなわち電源排気口１７３の開口の大きさの１／４程度、階段状に段差を形成し、オフセットさせている。すなわち、電源排気口１７３は、吸気口１７１よりも排気方向下流に位置するように配置されている。
【００３１】
本実施形態では、電源排気口１７３を通る平面のうち排気方向の最も上流側を通る平面を排気平面とし、ＬＥＤ吸気口１７１を通る平面のうち吸気方向の最も上流側を通る平面を吸気平面としたとき、前記排気平面は前記吸気平面よりも排気方向下流に位置するように配置されている。
【００３２】
そして、前記電源基板１８３は排気方向において、前記電源排気口１７３と対向する位置（本実施形態では、前記排気平面に前記電源排気口１７３を投影した領域）に配置されている。これにより、発熱した電源基板１８３からの熱が効率よく電源排気口１７３から排気される。また、本実施形態の電源基板１８３の一部は、前記オフセットされた領域、すなわち、前記吸気平面よりも前記排気方向下流の領域に配置されている。このようにね電源基板１８３の少なくとも一部をオフセット領域に配置することにより、排気効率を高めるためにＬＥＤ吸気口１７１に対してオフセットした領域を有効に使用することができ、かつ、排気効率も高めることができる。
【００３３】
〔シミュレーション演算結果〕
ここで、筐体外に排気された空気の流れについて、後述する比較例１、２と第１実施形態の気流状態をシミュレーション演算した結果について、図９を用いて説明する。
【００３４】
図９のシミュレーションは、筐体内側で電源排気口１７３の近傍に質量のない仮想粒子を上下方向２０個、左右方向２０個、全部で４００個均等配置した場合に、いくつの粒子がＬＥＤ吸気口１７１に到達するか、演算した結果を示している。到達した仮想粒子数が少なければ少ないほど、電源排気口１７３から排気される温められた空気がＬＥＤ吸気口１７１に吸気されずに、プロジェクタを効率的に冷却することができることになる。
【００３５】
比較例１、２は、ＬＥＤ吸気口１７１と電源排気口１７３のオフセット量を、それぞれ０ｍｍ、１２ｍｍとした他は第１実施形態と同じ条件としている。比較例１（オフセット量０ｍｍ）では５５個、比較例２（オフセット量１２ｍｍ）では４８個、第１実施形態（オフセット量２４ｍｍ）では１６個、仮想粒子が電源排気口１７３からＬＥＤ吸気口１７１に到達している。
【００３６】
これは、オフセット量が大きくなると、電源排気口１７３からＬＥＤ吸気口１７１までの距離が長くなり、電源排気口１７３からＬＥＤ吸気口１７１に至る吸気ルートの圧力損失が大きいために、電源排気口１７３からＬＥＤ吸気口１７１に風が流れにくくなったために起こると考えられる。
【００３７】
つまり、電源排気口１７３がＬＥＤ吸気口１７１に対して、排気方向にオフセットされて設けられていることで、電源排気口１７３から排気された熱気がＬＥＤ吸気口１７１から入らないようになり、プロジェクタを効率的に冷却している。第１実施形態においては、コントローラユニットよりも大きく、後方に張り出す電源ユニット１８０を、ＬＥＤ吸気口１７１の右方に配置することで、冷却効率を高めつつ、実装上の効率も高めている。
【００３８】
なお、第１実施形態では、ＬＥＤ吸気口１７１に対する電源排気口１７３のオフセット量を２４ｍｍと設定したが、本シミュレーション演算結果から、オフセット量が１２ｍｍでも効果があることが分かる。また第１実施形態においては、吸気口から吸気し、排気口から排気するために送風する送風部としてＬＥＤファンと電源ファンの２つのファンを設けたが、１つのファンで吸排気を行っても良い。
【００３９】
〔第２実施形態〕
次に本発明の第２実施形態について、図１０及び図１１を参照して詳細に説明する。なお、第１実施形態と同一の構成については同一符号を付して説明は省略する。
【００４０】
本実施形態が第１実施形態と異なる点は、電源排気口が所定の傾き角度（ルーバ角度）をもって形成され、また電源排気口がＬＥＤ吸気口に対して排気方向にオフセットして配置されていない点にある。
【００４１】
図１０は情報処理装置の左上側から見た概略斜視図である。電源排気口１７４は、筐体１７０の後側に設けられており、大きさは左右方向、上下方向とも８０ｍｍである。電源排気口１７４は、前後方向から見て１辺が３．５ｍｍの正方形状の複数の開口部分の集まりであり、各々の開口部分は１．５ｍｍの間隔で配列している。
【００４２】
電源排気口１７４は、ＬＥＤ吸気口１７１の右方に設けられている。そして、電源排気口１７４の上下方向の位置は、ＬＥＤ吸気口１７１の最上部を通る平面と最下部を通る平面の２平面の間に、少なくとも電源排気口１７４の一部が含まれて隣り合うよう配置されている。
【００４３】
ＬＥＤ吸気口１７１の最右端部と電源排気口１７４の最左端部との左右方向の距離は、４０ｍｍであり、ＬＥＤ吸気口１７１または電源排気口１７４の左右方向の大きさの半分程度に近接して配置されている。筐体１７０の左右方向の幅は２６０ｍｍである。
【００４４】
そして、本実施形態にあっては第１実施形態と異なり、電源排気口１７４がＬＥＤ吸気口１７１と同じ平面上にある。すなわち、電源排気口１７４はＬＥＤ吸気口１７１に対して排気方向にオフセットしていない。
【００４５】
そして、本実施形態の電源排気口１７４は、第１実施形態の電源排気口１７３と異なり、前記排気口の前記筐体内側の中心から前記排気口の前記筐体外側の中心へ向かう方向が、前記吸気口から遠ざかる方向となるように構成されている。すなわち、本実施形態の電源排気口１７４は、図１１のように構成されている。なお、図１１は、筐体１７０を、ＬＥＤ吸気口１７１と電源排気口１７４を通り、上方向に垂直な平面で切った断面図である。
【００４６】
本実施形態の電源排気口１７４の各々の開口部は、筐体１７０の内側から外側へ行くに従い、ＬＥＤ吸気口１７１に対して遠ざかる方向に２５°の角度がついている。すなわち、図１１に示すように、電源排気口１７４は、電源排気口１７４の筐体内側の中心から電源排気口１７４の筐体外側の中心へ向かう方向が、ＬＥＤ吸気口１７１から遠ざかる方向となるように角度（ルーバ角度）がついている。これにより、電源排気口１７４から排気された熱気がＬＥＤ吸気口１７１に入る量を減少させ、ＬＥＤ吸気口１７１から入る空気で冷却しているプロジェクタの温度上昇を抑制することができる。
【００４７】
本実施形態にあっては、電源排気口１７４の各々の開口部が正方形状であり、これが複数配置されていることで、開口部が整流効果を有し、排気の直進性が高まることが挙げられる。このことにより、排気口に対し２つ以上の吸気口が隣接する場合に吸気口からの遠ざかる方向にルーバ角度を設けることで効果的に循環防止が可能となる。
【００４８】
〔第３実施形態〕
次に本発明の第３実施形態について、図１２及び図１３を参照して詳細に説明する。なお、第１実施形態と同一の構成については同一符号を付して説明は省略する。
【００４９】
本実施形態が第２実施形態と異なる点は、電源排気口の形状が第２実施形態では正方形状であったものが、本実施形態では縦長形状である点である。
【００５０】
図１２は情報処理装置の左上側から見た概略斜視図である。電源排気口１７５は、筐体１７０の後側に設けられており、大きさは左右方向、上下方向とも８０ｍｍである。電源排気口１７５は、前後方向から見て幅３．５ｍｍ、高さ８０ｍｍの長方形状の開口部分が複数並列配置されており、各々の開口部分は左右方向に１．５ｍｍの間隔で配列されている。
【００５１】
電源排気口１７５は、第２実施形態と同様に、ＬＥＤ吸気口１７１の右方に設けられている。電源排気口１７５は、水平面と平行で、ＬＥＤ吸気口１７１の最上部を通る平面と最下部を通る平面の２平面の間に、電源排気口１７５の一部が含まれて隣り合うよう配置されている。
【００５２】
ＬＥＤ吸気口１７１の最右端部と電源排気口１７５の最左端部との左右方向の距離は、４０ｍｍであり、ＬＥＤ吸気口１７１または電源排気口１７５の左右方向の大きさの半分程度に近接して配置されている。筐体１７０の左右方向の幅は２６０ｍｍである。
【００５３】
図１３は、筐体１７０を、ＬＥＤ吸気口１７１と電源排気口１７５を通り、上方向に垂直な平面で切った断面図である。この電源排気口１７５も第２実施形態と同様に、電源排気口１７５の各々の開口部は、筐体１７０の内側から外側へ行くに従い、ＬＥＤ吸気口１７１に対して遠ざかる方向に２５°のルーバ角度がついている。これにより、電源排気口１７５から排気された熱気がＬＥＤ吸気口１７１に入る量を減少させ、ＬＥＤ吸気口１７１から入る空気で冷却しているプロジェクタの温度上昇を抑制することができる。
【００５４】
また、本実施形態の効果として、電源排気口１７５の各々の開口部が長方形状であることで、第２実施形態の正方形状と比較し、同じ排気口面積でも開口面積を広くとることができ、排気風量を上げることができることが挙げられる。
【００５５】
なお、本実施形態では電源排気口１７５を縦長形状にしたが、これは電源排気口１７５がＬＥＤ吸気口１７１の右側に隣接して配置されているからである。すなわち、電源排気口１７５の長辺部にルーバ角度を形成することにより、電源排気口１７５から排気される空気が電源排気口１７５の左側に隣接している配置されているＬＥＤ吸気口１７１から遠ざかる方向に排気されるようにしている。このルーバ角度は電源排気口１７５の短辺部に形成するよりも、長辺部に形成するほうが効果的である。そのため、例えば電源排気口１７５とＬＥＤ吸気口１７１が上下方向に隣接して配置されている場合は、電源排気口１７５から排気される空気をＬＥＤ吸気口１７１から遠ざかるようにするには前記電源排気口１７５は横長にし、その長辺部に前記ルーバ角度を形成することが好ましい。したがって、電源排気口１７５を長方形状にする場合は、吸気口から排気口へ向かう方向と交差する方向に長手の開口にする。
【００５６】
〔シミュレーション演算結果〕
ここで、筐体外に排気された空気の流れについて、後述する比較例３、４、５と第２実施形態及び第３実施形態の気流状態をシミュレーション演算した結果について、図１４を用いて説明する。
【００５７】
シミュレーションは、第２実施形態に係る筐体内側で電源排気口１７４及び、第３実施形態に係る電源排気口１７５の近傍に質量のない仮想粒子を上下方向２０個、左右方向２０個、全部で４００個均等配置した場合に、いくつの粒子がＬＥＤ吸気口１７１に到達するか、演算した結果を示している。到達した仮想粒子数が少なければ少ないほど、電源排気口１７３から排気される温められた空気がＬＥＤ吸気口１７１に吸気されずに、プロジェクタを効率的に冷却することができる。
【００５８】
比較例３、４は、第２実施形態の電源排気口１７４のルーバ角度を、それぞれ０°、１２°とした他は第２実施形態の電源排気口と有効開口面積含め同じ条件としている。また、比較例５は、第３実施形態の電源排気口１７５のルーバ角度を、それぞれ０°とした他は第３実施形態の電源排気口１７５と有効開口面積含め同じ条件としている。
【００５９】
比較例３（ルーバ角度０°）では５５個、比較例４（ルーバ角度１２°）では２８個、第２実施形態（ルーバ角度２５°）では１５個、仮想粒子が電源排気口１７３からＬＥＤ吸気口１７１に到達している。
【００６０】
また、比較例５（ルーバ角度０°）では８４個、第３実施形態（ルーバ角度２５°）では５個の仮想粒子が電源排気口１７３からＬＥＤ吸気口１７１に到達している。
【００６１】
つまり、第２実施形態の電源排気口１７４及び第３実施形態の電源排気口１７５の各々のルーバ角度が、筐体１７０の内側から外側へ行くに従い、ＬＥＤ吸気口１７１に対して遠ざかる方向に角度がついていることで、プロジェクタを効率的に冷却している。なお、第２実施形態及び第３実施形態では、ルーバ角度を２５°と設定したが、本シミュレーション演算結果から、ルーバ角度が１２°でも効果があることが分かる。
【００６２】
〔第４実施形態〕
次に本発明の第３実施形態について、図１５及び図１６を参照して詳細に説明する。なお、第１実施形態と同一の構成については同一符号を付して説明は省略する。
【００６３】
図１５は情報処理装置の左上側から見た概略斜視図である。図１６は、筐体１７０を、ＬＥＤ吸気口１７１と電源排気口１７６を通り、上方向に垂直な平面で切った断面図である。
【００６４】
本実施形態は、第１実施形態と第２実施形態を組み合わせたものである。すなわち、本実施形態の電源排気口１７６は、第１実施形態と同様に、ＬＥＤ吸気口１７１に対して排気方向にオフセットして配置されている。また、本実施形態の電源排気口１７６は、第２実施形態と同様に、各々の開口部が筐体１７０の内側から外側へ行くに従い、ＬＥＤ吸気口１７１に対して遠ざかる方向に２５°の角度がついている。
【００６５】
なお、本実施形態では、電源排気口１７６の形状を第２実施形態と同様に１辺が３．５ｍｍの正方形状の複数の開口を配置した構成を示したが、開口形状を第３実施形態と同様に縦長形状にした第１実施形態と第３実施形態を組み合わせる構成であってもよい。
【００６６】
上記のように、電源排気口にルーバ角度を設け、かつ、電源排気口がＬＥＤ吸気口１７１に対して、排気方向にオフセットされて設けることにより、電源排気口１７６から排気された熱気がＬＥＤ吸気口１７１に入る量を減少させ、ＬＥＤ吸気口１７１から入る空気で冷却しているプロジェクタの温度上昇を抑制することができる。
【００６７】
本実施形態においては、コントローラユニットよりも大きく、後方に張り出す電源ユニットを、ＬＥＤ吸気口の右方に配置することで、冷却効率を高めつつ、実装上の効率も高めている。
【符号の説明】
【００６８】
１００ …情報処理装置
１２１ …カメラ
１３１ …プロジェクタ
１５０ …ＬＥＤユニット
１５１ …ＬＥＤファン
１５２ …ＬＥＤヒートシンク
１６０ …ＤＭＤユニット
１６１ …ＤＭＤヒートシンク
１７０ …筐体
１７１ …ＬＥＤ吸気口
１７２ …ＬＥＤ排気口
１７３ …電源排気口
１８０ …電源ユニット
１８３ …電源基板
【図１】
2019008006.tif 000003
【図２】
2019008006.tif 000004
【図３】
2019008006.tif 000005
【図４】
2019008006.tif 000006
【図５】
2019008006.tif 000007
【図６】
2019008006.tif 000008
【図７】
2019008006.tif 000009
【図８】
2019008006.tif 000010
【図９】
2019008006.tif 000011
【図１０】
2019008006.tif 000012
【図１１】
2019008006.tif 000013
【図１２】
2019008006.tif 000014
【図１３】
2019008006.tif 000015
【図１４】
2019008006.tif 000016
【図１５】
2019008006.tif 000017
【図１６】
2019008006.tif 000018